(57)【特許請求の範囲】
【請求項１】
ウエブの両面に連続して記録可能なインクジェット記録装置であって、
複数配設された記録ヘッドと、
前記記録ヘッドにより記録された前記ウエブを乾燥するための乾燥機と、
前記ウエブを案内する案内ローラと、
を備え、
前記ウエブが、選択された隣合う前記記録ヘッド間を通過するように、前記ウエブの走行経路が切替可能となっており、
前記ウエブが通過する位置から上流側の前記記録ヘッドが前記ウエブの一面に記録し、
前記ウエブが通過する位置から下流側の前記記録ヘッドが前記ウエブの他面に記録するインクジェット記録装置。
【請求項２】
前記乾燥機が、前記ウエブの一面を乾燥する第１乾燥機と、前記ウエブの他面を乾燥する第２乾燥機とからなる請求項１記載のインクジェット記録装置。
【請求項３】
前記ウエブの一面を記録するための複数配設された追加記録ヘッドを更に備える請求項２記載のインクジェット記録装置。
【請求項４】
前記案内ローラが複数配置されており、
該案内ローラを選択することにより、前記走行経路が切替可能となっている請求項１〜３のいずれか一項に記載のインクジェット記録装置。
【請求項５】
前記案内ローラがレール上をスライド可能な調整案内ローラであり、
該調整案内ローラの位置を変えることにより、前記走行経路が切替可能となっている請求項１〜３のいずれか一項に記載のインクジェット記録装置。
【請求項６】
複数の前記記録ヘッドの下面がアーチ状に配設されている請求項１〜５のいずれか一項に記載のインクジェット記録装置。
【請求項７】
前記乾燥機がＵＶ乾燥機である請求項１〜６のいずれか一項に記載のインクジェット記録装置。
【請求項８】
請求項２記載のインクジェット記録装置を用いたインクジェット記録方法であって、
前記ウエブが、選択された隣合う前記記録ヘッド間を通過する位置から上流側の記録ヘッドが前記ウエブの一面に記録した後、該ウエブを第１乾燥機で乾燥し、
前記ウエブが、選択された隣合う前記記録ヘッド間を通過する位置から下流側の記録ヘッドが前記ウエブの他面に記録した後、該ウエブを第２乾燥機で乾燥するインクジェット記録方法。
【請求項９】
請求項３記載のインクジェット記録装置を用いたインクジェット記録方法であって、
前記ウエブの一面を前記追加記録ヘッドが記録した後、仮乾燥機で乾燥し、
前記ウエブが、選択された隣合う前記記録ヘッド間を通過する位置から上流側の記録ヘッドが前記ウエブの一面に記録した後、該ウエブを第１乾燥機で乾燥し、
前記ウエブが、選択された隣合う前記記録ヘッド間を通過する位置から下流側の記録ヘッドが前記ウエブの他面に記録した後、該ウエブを第２乾燥機で乾燥するインクジェット記録方法。
【発明の詳細な説明】
【技術分野】
【０００１】
本発明は、インクジェット記録装置及びそれを用いたインクジェット記録方法に関し、更に詳しくは、色数を調整することができ且つ効率良くウエブの両面に連続して記録可能なインクジェット記録装置及びそれを用いたインクジェット記録方法に関する。
【背景技術】
【０００２】
一般にインクジェット記録方式は、所望のデザインや文字を記録できることから、多くの分野で用いられている。
近年、インクジェット記録方式にてデザインや文字を両面に記録したウエブが求められている。
【０００３】
ウエブの両面にインクジェット記録方式で記録する方法としては、同じインクジェット記録装置で２度記録するバッジ式方法がある。
例えば、ウエブの一方の面にインクジェット記録方式で記録した後、ウエブを反転させ、ウエブの他方の面にインクジェット記録方式で記録する方法である。
ところが、かかるバッジ式方法は、デザインによっては多くのインクを付与する必要があるので、一旦乾燥させないと、画像が滲んでしまうおそれがある。このため、連続記録ができず、生産性が乏しい。
【０００４】
これに対し、２つの印字ユニットと乾燥機とを有するインクジェット記録装置が知られている（例えば、特許文献１参照）。
かかるインクジェット記録装置によれば、ウエブの両面に連続して記録することが可能である。
【先行技術文献】
【特許文献】
【０００５】
【特許文献１】特開２００２−２３４２１４号公報
【発明の概要】
【発明が解決しようとする課題】
【０００６】
しかしながら、上記特許文献１記載の表裏印字装置においては、ウエブの片面の記録に対し４箇所の記録ヘッドが配置されているので、５色以上の色を用いることができない。すなわち、インクジェット特有の多彩な表現力が制限されるという欠点がある。
一方でウエブの片面の記録に１色しか用いない場合、３箇所の記録ヘッドが用いられず放置されるので、ノズルが乾燥し、目詰まり等を起こす問題がある。
また、一面は５色以上で多彩な表現をし、他面は１〜３色しか用いない場合、他面に記録する記録ヘッドは用いられず放置されるのに、一面に記録する記録ヘッドは増設しなければならないという無駄が生じ効率的ではない。すなわち、全体としてインクジェット記録装置の記録ヘッドの数が多くなる。
【０００７】
本発明は上記事情に鑑みてなされたものであり、色数を調整することができ且つ効率良くウエブの両面に連続して記録可能なインクジェット記録装置及びそれを用いたインクジェット記録方法を提供することを目的とする。
【課題を解決するための手段】
【０００８】
本発明者は、上記課題を解決するため鋭意検討したところ、配設された記録ヘッドを効率良く利用するために、隣合う記録ヘッド間の通過するウエブの走行経路を切替可能とすることにより、上記課題を解決し得ることを見出し、本発明を完成するに至った。
【０００９】
すなわち、本発明は、（１）ウエブの両面に連続して記録可能なインクジェット記録装置であって、複数配設された記録ヘッドと、記録ヘッドにより記録されたウエブを乾燥するための乾燥機と、ウエブを案内する案内ローラと、を備え、ウエブが、選択された隣合う記録ヘッド間を通過するように、ウエブの走行経路が切替可能となっており、ウエブが通過する位置から上流側の記録ヘッドがウエブの一面に記録し、ウエブが通過する位置から下流側の記録ヘッドがウエブの他面に記録するインクジェット記録装置に存する。
【００１０】
本発明は、（２）乾燥機が、ウエブの一面を乾燥する第１乾燥機と、ウエブの他面を乾燥する第２乾燥機とからなる上記（１）記載のインクジェット記録装置に存する。
【００１１】
本発明は、（３）ウエブの一面を記録するための複数配設された追加記録ヘッドを更に備える上記（２）記載のインクジェット記録装置に存する。
【００１２】
本発明は、（４）案内ローラが複数配置されており、該案内ローラを選択することにより、走行経路が切替可能となっている上記（１）〜（３）のいずれか一つに記載のインクジェット記録装置に存する。
【００１３】
本発明は、（５）案内ローラがレール上をスライド可能な調整案内ローラであり、該調整案内ローラの位置を変えることにより、走行経路が切替可能となっている上記（１）〜（３）のいずれか一つに記載のインクジェット記録装置に存する。
【００１４】
本発明は、（６）複数の記録ヘッドの下面がアーチ状に配設されている上記（１）〜（５）のいずれか一つに記載のインクジェット記録装置に存する。
【００１５】
本発明は、（７）乾燥機がＵＶ乾燥機である上記（１）〜（６）のいずれか一つに記載のインクジェット記録装置に存する。
【００１６】
本発明は、（８）上記（２）記載のインクジェット記録装置を用いたインクジェット記録方法であって、ウエブが、選択された隣合う記録ヘッド間を通過する位置から上流側の記録ヘッドがウエブの一面に記録した後、該ウエブを第１乾燥機で乾燥し、ウエブが、選択された隣合う記録ヘッド間を通過する位置から下流側の記録ヘッドがウエブの他面に記録した後、該ウエブを第２乾燥機で乾燥するインクジェット記録方法に存する。
【００１７】
本発明は、（９）上記（３）記載のインクジェット記録装置を用いたインクジェット記録方法であって、ウエブの一面を追加記録ヘッドが記録した後、仮乾燥機で乾燥し、ウエブが、選択された隣合う記録ヘッド間を通過する位置から上流側の記録ヘッドがウエブの一面に記録した後、該ウエブを第１乾燥機で乾燥し、ウエブが、選択された隣合う記録ヘッド間を通過する位置から下流側の記録ヘッドがウエブの他面に記録した後、該ウエブを第２乾燥機で乾燥するインクジェット記録方法に存する。
【発明の効果】
【００１８】
本発明のインクジェット記録装置においては、隣合う記録ヘッド間にウエブを通過させ、ウエブが通過する位置から上流側の記録ヘッドにウエブの一面を記録させ、ウエブが通過する位置から下流側の記録ヘッドにウエブの他面を記録させる。
このとき、ウエブを通過させる走行経路を切り替えることにより、ウエブの一面に記録させる記録ヘッドの数と、ウエブの他面に記録させる記録ヘッドの数とを調整することが可能となる。すなわち、ウエブの一面と他面とで用いる色数を調整することができる。
【００１９】
このことから、一面は５色以上で多彩な表現をし、他面は１〜３色しか用いない場合、用いられない記録ヘッドの数を無くす若しくは減らすことができ、同時に記録ヘッドを増設する無駄も省ける。
したがって、上記インクジェット記録装置によれば、ウエブの一面及び他面の色数の違いにも対応することができ、効率良くウエブの両面に連続して記録することができる。
【００２０】
本発明のインクジェット記録装置においては、案内ローラが複数配置されており、ウエブを案内させる案内ローラを選択することにより、走行経路が切替可能となっている場合、案内ローラの位置決めがされているので、デザインに基づく色数にあわせて、容易に走行経路を選択することが可能となる。
また、案内ローラがレール上をスライド可能な調整案内ローラであり、該調整案内ローラの位置を変えることにより、走行経路が切替可能となっている場合、センサーで制御することも可能であり、デザインに基づく色数にあわせて、よりスムーズに走行経路を選択することが可能となる。
【００２１】
本発明のインクジェット記録装置においては、ウエブの一面を記録するための複数配設された追加記録ヘッドを更に備えると、更に多彩な表現が可能となる。
【００２２】
本発明のインクジェット記録装置においては、複数の記録ヘッドの下面がアーチ状となるように配設されている場合、ウエブに対し、記録ヘッドとは反対方向にテンションを掛けることができるので、ウエブがバタつくことを防止することができる。
【００２３】
本発明のインクジェット記録装置においては、乾燥機がＵＶ乾燥機である場合、簡便な装置で十分に乾燥できるので、スペースをとらない。
【００２４】
本発明のインクジェット記録方法においては、上述のインクジェット記録装置を用いるので、色数を調整することができ且つ効率良くウエブの両面に連続して記録することが可能である。
また、インクジェット記録装置が追加記録ヘッドを備える場合、一度仮乾燥機で乾燥することにより、より高品質のインクジェット記録物が得られる。
【図面の簡単な説明】
【００２５】
【図１】図１は、本発明に係るインクジェット記録装置の第１実施形態を示す概略図である。
【図２】図２は、本発明に係るインクジェット記録装置の第１実施形態におけるウエブの走行経路の複数の例を示す概略図である。
【図３】図３は、本発明に係るインクジェット記録装置の第２実施形態におけるウエブの走行経路の複数の例を示す概略図である。
【図４】図４は、本発明に係るインクジェット記録装置の第３実施形態を示す概略図である。
【図５】図５は、本発明に係るインクジェット記録装置の第４実施形態を示す概略図である。
【図６】図６は、本発明に係るインクジェット記録装置の第４実施形態におけるウエブの走行経路の複数の例を示す概略図である。
【図７】図７は、本発明に係るインクジェット記録装置の他の実施形態を示す概略図である。
【発明を実施するための形態】
【００２６】
以下、必要に応じて図面を参照しつつ、本発明の好適な実施形態について詳細に説明する。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００２７】
本発明に係るインクジェット記録装置は、基板上に複数配設された記録ヘッドと、ウエブを選択された隣合う記録ヘッド間に案内可能な案内ローラ（以下便宜的に「上案内ローラ」ともいう。）と、ウエブをウエブが通過する位置から上流側の記録ヘッドに案内可能な案内ローラ（以下便宜的に「左案内ローラ」ともいう。）と、ウエブをウエブが通過する位置から下流側の記録ヘッドに案内可能な案内ローラ（以下便宜的に「右案内ローラ」ともいう。）と、上流側の記録ヘッドにより記録されたウエブを乾燥するための乾燥機（以下便宜的に「第１乾燥機」ともいう。）と、下流側の記録ヘッドにより記録されたウエブを乾燥するための乾燥機（以下便宜的に「第２乾燥機」ともいう。）と、を備える。すなわち、本発明のインクジェット記録装置において、案内ローラは、上案内ローラ、左案内ローラ及び右案内ローラの３つからなる。
【００２８】
本発明のインクジェット記録装置においては、隣合う記録ヘッド間にウエブを通過させ、ウエブが通過する位置から上流側の記録ヘッドにウエブの一面を記録させ、ウエブが通過する位置から下流側の記録ヘッドにウエブの他面を記録させる。
このとき、用いる上案内ローラ、左案内ローラ及び右案内ローラは、適宜選択することができる。すなわち、案内ローラを選択することにより、走行経路が切替可能となっている。
【００２９】
［第１実施形態］
図１は、本発明に係るインクジェット記録装置の第１実施形態を示す概略図である。
図１に示すように、第１実施形態に係るインクジェット記録装置１００は、図示しない基板上に８個配設された記録ヘッド（以下便宜的に図１の左側から順に「第１記録ヘッド」〜「第８記録ヘッド」ともいう。）Ｈ１〜Ｈ８と、ウエブ１を第４記録ヘッドＨ４と第５記録ヘッドＨ５との間に案内する上案内ローラ（以下便宜的に「第４上案内ローラ」ともいう。）Ａ４と、ウエブ１を第１記録ヘッドＨ１〜第４記録ヘッドＨ４側に案内する左案内ローラ（以下便宜的に「第４左案内ローラ」ともいう。）Ｂ４と、ウエブ１を第５記録ヘッドＨ５〜第８記録ヘッドＨ８側に案内する右案内ローラ（以下便宜的に「第４右案内ローラ」ともいう。）Ｇ４と、第１記録ヘッドＨ１〜第４記録ヘッドＨ４の４個の記録ヘッドにより記録されたウエブ１の一面１ａを乾燥するための第１乾燥機５ａと、第５記録ヘッドＨ５〜第８記録ヘッドＨ８の４個の記録ヘッドにより記録されたウエブ１の他面１ｂを乾燥するための第２乾燥機５ｂと、を備える。
また、インクジェット記録装置１００においては、ウエブ１の走行経路を切替可能とするために、複数の上案内ローラ（以下便宜的に図１の左側から順に「第１上案内ローラ」〜「第７上案内ローラ」ともいう。）Ａ１〜Ａ７と、複数の左案内ローラ（以下便宜的に図１の左側から順に「第１左案内ローラ」〜「第７左案内ローラ」ともいう。）Ｂ１〜Ｂ７と、複数の右案内ローラ（以下便宜的に図１の左側から順に「第１右案内ローラ」〜「第７右案内ローラ」ともいう。）Ｇ１〜Ｇ７と、が配設されている。
【００３０】
第１実施形態に係るインクジェット記録装置１００において、第１記録ヘッドＨ１〜第８記録ヘッドＨ８は、一列になるように、基板に位置固定されている。このため、ウエブ１に対して連続して記録することが可能となる。
また、第１記録ヘッドＨ１〜第８記録ヘッドＨ８は、基板から着脱可能となっており、必要に応じて適宜交換することができる。
【００３１】
第１記録ヘッドＨ１〜第８記録ヘッドＨ８は、それぞれにインクが収容されている。なお、これらのインクは、同じ色であっても、異なる色であってもよい。また、インクは、染料でも顔料でもよく、また水性、油性を問わない。
【００３２】
例えば、イエロー、マゼンタ、シアン、ブラックが収容されている記録ヘッドで記録すると、フルカラーの表現が可能となる。また、これらの色の濃淡のインクが収容された記録ヘッドを更に備え、すべての記録ヘッドで記録すると、表現できる色の幅が拡大する。なお、この他にも、紫外線硬化剤、艶出し剤、難燃剤、下地剤等を溶解した液体をインクとして用いてもよい。
【００３３】
第１上案内ローラＡ１〜第７上案内ローラＡ７及び第１左案内ローラＢ１〜第７左案内ローラＢ７は、第１記録ヘッドＨ１〜第８記録ヘッドＨ８の間に配置されており、第１右案内ローラＧ１〜第７右案内ローラＧ７は、第１記録ヘッドＨ１〜第８記録ヘッドＨ８の下に配置されている。
インクジェット記録装置１００においては、隣合う記録ヘッド間でウエブ１の進行方向の転換が行われることになる。なお、インクジェット記録装置１００においては、ウエブ１が隣合う記録ヘッド間を通過する走行経路を阻害しないように、基板には穴が設けられている。
【００３４】
第１上案内ローラＡ１〜第７上案内ローラＡ７、第１左案内ローラＢ１〜第７左案内ローラＢ７、第１右案内ローラＧ１〜第７右案内ローラＧ７は、互いに対応させて用いられる。すなわち、上述したように、ウエブ１を第４上案内ローラＡ４によって案内する場合は、第４左案内ローラＢ４と、第４右案内ローラＧ４とが用いられる。この場合、ウエブ１の一面１ａの記録に用いられる記録ヘッドは第１記録ヘッドＨ１〜第４記録ヘッドＨ４の４個となり、ウエブ１の他面１ｂの記録に用いられる記録ヘッドは第５記録ヘッドＨ５〜第８記録ヘッドＨ８の４個となる。
【００３５】
ここで、ウエブ１の走行経路を切替えた場合について説明する。
図２は、本発明に係るインクジェット記録装置の第１実施形態におけるウエブの走行経路の複数の例を示す概略図である。
図２に示すように、例えば、ウエブ１を第１上案内ローラＡ１によって案内するようにした場合、第１左案内ローラＢ１と、第１右案内ローラＧ１とが用いられる。この場合、ウエブ１の一面１ａの記録に用いられる記録ヘッドは第１記録ヘッドＨ１の１個となり、ウエブ１の他面１ｂの記録に用いられる記録ヘッドは第２記録ヘッドＨ２〜第８記録ヘッドＨ８の７個となる。
ウエブ１を第２上案内ローラＡ２によって案内するようにした場合、第２左案内ローラＢ２と、第２右案内ローラＧ２とが用いられる。この場合、ウエブ１の一面１ａの記録に用いられる記録ヘッドは第１記録ヘッドＨ１及び第２記録ヘッドＨ２の２個となり、ウエブ１の他面１ｂの記録に用いられる記録ヘッドは第３記録ヘッドＨ３〜第８記録ヘッドＨ８の６個となる。
ウエブ１を第３上案内ローラＡ３によって案内するようにした場合、第３左案内ローラＢ３と、第３右案内ローラＧ３とが用いられる。この場合、ウエブ１の一面１ａの記録に用いられる記録ヘッドは第１記録ヘッドＨ１〜第３記録ヘッドＨ３の３個となり、ウエブ１の他面１ｂの記録に用いられる記録ヘッドは第４記録ヘッドＨ４〜第８記録ヘッドＨ８の５個となる。
ウエブ１を第５上案内ローラＡ５によって案内するようにした場合、第５左案内ローラＢ５と、第５右案内ローラＧ５とが用いられる。この場合、ウエブ１の一面１ａの記録に用いられる記録ヘッドは第１記録ヘッドＨ１〜第５記録ヘッドＨ５の５個となり、ウエブ１の他面１ｂの記録に用いられる記録ヘッドは第６記録ヘッドＨ６〜第８記録ヘッドＨ８の３個となる。
ウエブ１を第６上案内ローラＡ６によって案内するようにした場合、第６左案内ローラＢ６と、第６右案内ローラＧ６とが用いられる。この場合、ウエブ１の一面１ａの記録に用いられる記録ヘッドは第１記録ヘッドＨ１〜第６記録ヘッドＨ６の６個となり、ウエブ１の他面１ｂの記録に用いられる記録ヘッドは第７記録ヘッドＨ７及び第８記録ヘッドＨ８の２個となる。
ウエブ１を第７上案内ローラＡ７によって案内するようにした場合、第７左案内ローラＢ７と、第７右案内ローラＧ７とが用いられる。この場合、ウエブ１の一面１ａの記録に用いられる記録ヘッドは第１記録ヘッドＨ１〜第７記録ヘッドＨ７の７個となり、ウエブ１の他面１ｂの記録に用いられる記録ヘッドは第８記録ヘッドＨ８の１個となる。
【００３６】
第１実施形態に係るインクジェット記録装置１００において、第１乾燥機５ａ及び第２乾燥機５ｂは、第１記録ヘッドＨ１〜第８記録ヘッドＨ８の下方に配置される。これにより、インクジェット記録装置１００の設置スペースをコンパクトにすることができる。
第１乾燥機５ａは、内部に加熱ヒータを備えており、その熱によりドラム６ａ表面が加熱されるようになっている。また、第１乾燥機５ａは、図示しない吹き付けノズルが設けられており、該吹き付けノズルは、ドラム６ａの表面に熱風を吹き付けるようになっている。すなわち、第１乾燥機５ａにおいては、これらの２つの乾燥機能によりドラム６ａの表面に巻回されたウエブ１の一面１ａを乾燥する。なお、第２乾燥機５ｂは、第１乾燥機５ａと同じ構造となっている。
【００３７】
第１実施形態に係るインクジェット記録装置において、ウエブ１の材質は、紙、布帛、フィルム、金属箔等、特に限定されない。
また、ウエブ１は、連続して走行するようになっている。
【００３８】
次に、第１実施形態に係るインクジェット記録装置１００を用いたインクジェット記録方法について説明する。
かかるインクジェット記録方法においては、ウエブ１が隣合う記録ヘッド間を通過する位置から上流側の記録ヘッドがウエブの一面１ａに記録した後、該ウエブ１を第１乾燥機５ａで乾燥し、ウエブ１が記録ヘッド同士の間を通過する位置から下流側の記録ヘッドがウエブ１の他面１ｂに記録した後、該ウエブ１を第２乾燥機５ｂで乾燥する。
【００３９】
すなわち、インクジェット記録装置１００の搬入口３ａから搬入されたウエブ１は、一旦、第１記録ヘッドＨ１〜第４記録ヘッドＨ４の上方を通過し、第４上案内ローラＡ４によって、第４記録ヘッドＨ４と第５記録ヘッドＨ５との間を通過するように案内される。
続いて、ウエブ１は、第４左案内ローラＢ４によって、第１記録ヘッドＨ１〜第４記録ヘッドＨ４側に案内され、ウエブ１の一面１ａが第１記録ヘッドＨ１〜第４記録ヘッドＨ４によって順次記録される。
その後、ウエブ１は、下方に配置された第１乾燥機５ａに案内され、ドラム６ａの円周に略１周するように巻回され、ウエブ１の一面１ａが乾燥される。このとき、ウエブ１の記録された一面１ａの反対側をドラム６ａに接するようにする。これによりウエブ１は効率良く乾燥され、ドラムの汚染も抑制される。
【００４０】
次に、ウエブ１は、第４右案内ローラＧ４によって、第５記録ヘッドＨ５〜第８記録ヘッドＨ８側に案内され、ウエブ１の他面１ｂが第５記録ヘッドＨ５〜第８記録ヘッドＨ８によって順次記録される。
その後、ウエブ１は、下方に配置された第２乾燥機５ｂに案内され、ドラム６ｂの円周に略１周するように巻回され、ウエブ１の他面１ｂが乾燥される。このとき、ウエブ１の記録された他面１ｂの反対側をドラム６ｂに接するようにする。これによりウエブ１は効率良く乾燥され、ドラムの汚染も抑制される。
そして、ウエブ１は、インクジェット記録装置１００の搬出口３ｂから搬出される。
こうして、記録媒体１の両面が連続して記録されることになる。
【００４１】
なお、インクジェット記録方法において、ウエブ１の搬入方法としては、例えば、巻取りローラに巻きつけたウエブ１をインクジェット記録装置１００に搬入する方法が挙げられる。また、ウエブ１の搬出方法としては、例えば、記録されたウエブ１を巻取りローラで巻き取ることにより搬出する方法が挙げられる。
【００４２】
上述したように、第１実施形態に係るインクジェット記録装置１００においては、案内ローラが複数配置されており、ウエブ１を案内させる案内ローラを適宜選択することにより、走行経路が切替可能となっている。このため、デザインに基づく色数にあわせて、容易に走行経路を選択することが可能となる。
よって、第１実施形態に係るインクジェット記録装置１００及びそれを用いたインクジェット記録方法によれば、色数を調整することができ且つ効率良くウエブの両面に連続して記録することが可能である。
【００４３】
［第２実施形態］
図３は、本発明に係るインクジェット記録装置の第２実施形態におけるウエブの走行経路の複数の例を示す概略図である。
図３に示すように、第２実施形態に係るインクジェット記録装置１０１において、複数の記録ヘッドの下面がアーチ状になるように配設されていること以外は、第１実施形態に係るインクジェット記録装置１００と同じである。
【００４４】
第２実施形態に係るインクジェット記録装置１０１においては、複数の記録ヘッドの下面がアーチ状に配設されているので、ウエブ１に対し、記録ヘッドとは反対方向にテンションを掛けることができる。これにより、ウエブ１がバタつくことを防止され、記録ヘッドＨ１〜Ｈ８とウエブ１とが接触して記録ヘッドＨ１〜Ｈ８の目詰まりが生じたり、ウエブ１が汚染する等の問題の発生が抑制される。
【００４５】
［第３実施形態］
図４は、本発明に係るインクジェット記録装置の第３実施形態を示す概略図である。
図４に示すように、第３実施形態に係るインクジェット記録装置１０２は、複数の上案内ローラＡ１〜Ａ７の代わりに、調整案内ローラ（以下便宜的に「上調整案内ローラ」ともいう。）Ａ１０と、複数の左案内ローラＢ１〜Ｂ７の代わりに、調整案内ローラ（以下便宜的に「左調整案内ローラ」ともいう。）Ｂ１０と、複数の右案内ローラＧ１〜Ｇ７の代わりに、調整案内ローラ（以下便宜的に「右調整案内ローラ」ともいう。）Ｇ１０と、上調整案内ローラＡ１０がスライド可能に取り付けられた上レール１１ａと、左調整案内ローラＢ１０及び右調整案内ローラＧ１０がスライド可能に取り付けられた下レール１１ｂと、を更に備えること以外は、第１実施形態に係るインクジェット記録装置１００と同じである。すなわち、第３実施形態に係るインクジェット記録装置１０２は、上案内ローラＡ１〜Ａ７をなくし、スライド可能な一つの上調整案内ローラＡ１０とし、左案内ローラＢ１〜Ｂ７をなくし、スライド可能な一つの左調整案内ローラＢ１０とし、右案内ローラＧ１〜Ｇ７をなくし、スライド可能な一つの右調整案内ローラＧ１０とし、これらが取り付けられた一対のレール１１（上レール１１ａ及び下レール１１ｂ）を更に備える点で、第１実施形態に係るインクジェット記録装置１００と相違する。
したがって、第３実施形態のインクジェット記録装置１０２において、調整案内ローラは、上調整案内ローラ、左調整案内ローラ及び右調整案内ローラの３つからなる。
【００４６】
上調整案内ローラＡ１０、左調整案内ローラＢ１０及び右調整案内ローラＧ１０は、互いに一体となってスライドするようになっている。例えば、ウエブ１を第４記録ヘッドＨ４と第５記録ヘッドＨ５との間に案内する場合は、上調整案内ローラＡ１０を上述した第４上案内ローラＡ４に相当する位置にスライドさせて位置決めし、左調整案内ローラＢ１０を上述した第４左案内ローラＢ４に相当する位置にスライドさせて位置決めし、右調整案内ローラＧ１０を上述した第４右案内ローラＧ４に相当する位置にスライドさせて位置決めすればよい。なお、ウエブ１の走行経路を別の位置に切替えたい場合も同様に、上調整案内ローラＡ１０、左調整案内ローラＢ１０及び右調整案内ローラＧ１０を所定の位置にスライドさせて位置決めすればよい。
【００４７】
第３実施形態に係るインクジェット記録装置１０２においては、上調整案内ローラＡ１０、左調整案内ローラＢ１０及び右調整案内ローラＧ１０を一体的にスライドさせて位置を変えることにより、走行経路が切替可能となる。このため、デザインに基づく色数にあわせて、よりスムーズに走行経路を選択することが可能となる。
また、上調整案内ローラＡ１０、左調整案内ローラＢ１０及び右調整案内ローラＧ１０のスライドをセンサーで制御することも可能となる。なお、個々のスライドは、別々に制御され、同期的に位置決めしてもよいし、一体的に同一制御で同期的に位置決めしてもよい。
【００４８】
［第４実施形態］
図５は、本発明に係るインクジェット記録装置の第４実施形態を示す概略図である。
図５に示すように、第４実施形態に係るインクジェット記録装置１０３は、ウエブ１の一面１ａを記録するために配設された４個の追加記録ヘッドＣ１〜Ｃ４を更に備える。すなわち、第４実施形態に係るインクジェット記録装置１０３は、図示しない基板上に４個配設された記録ヘッド（以下便宜的に図４の右側から順に「第１１記録ヘッド」〜「第１４記録ヘッド」ともいう。）Ｈ１１〜Ｈ１４と、ウエブ１を第１１記録ヘッドＨ１１及び第１２記録ヘッドＨ１２側に案内する右案内ローラ（以下便宜的に「第１２右案内ローラ」ともいう。）Ｇ１２と、ウエブ１を第１２記録ヘッドＨ１２と第１３記録ヘッドＨ１３との間に案内する上案内ローラ（以下便宜的に「第１２上案内ローラ」ともいう。）Ａ１２と、ウエブ１を第１３記録ヘッドＨ１３及び第１４記録ヘッドＨ１４側に案内する左案内ローラ（以下便宜的に「第１２左案内ローラ」ともいう。）Ｂ１２と、４個の追加記録ヘッドＣ１〜Ｃ４、及び、第１１記録ヘッドＨ１１及び第１２記録ヘッドＨ１２の２個の記録ヘッドにより記録されたウエブ１の一面１ａを乾燥するための第１乾燥機１５ａと、第１３記録ヘッドＨ１３及び第１４記録ヘッドＨ１４の２個の記録ヘッドにより記録されたウエブ１の他面１ｂを乾燥するための第２乾燥機１５ｂと、を備える。
また、インクジェット記録装置１０３においては、ウエブ１の走行経路を切替可能とするために、複数の上案内ローラ（以下便宜的に図４の右側から順に「第１１上案内ローラ」〜「第１３上案内ローラ」ともいう。）Ａ１１〜Ａ１３と、複数の左案内ローラ（以下便宜的に図４の右側から順に「第１１左案内ローラ」〜「第１３左案内ローラ」ともいう。）Ｂ１１〜Ｂ１３と、複数の右案内ローラ（以下便宜的に図４の右側から順に「第１１右案内ローラ」〜「第１３右案内ローラ」ともいう。）Ｇ１１〜Ｇ１３と、が配設されている。
【００４９】
第４実施形態に係るインクジェット記録装置１０３において、追加記録ヘッドＣ１〜Ｃ４及び第１１記録ヘッドＨ１１〜第１４記録ヘッドＨ１４は、それぞれ一列になるように、図示しない基板に位置固定されている。このため、ウエブ１に対して連続して記録することが可能となる。
また、追加記録ヘッドＣ１〜Ｃ４及び第１１記録ヘッドＨ１１〜第１４記録ヘッドＨ１４は、基板から着脱可能となっており、必要に応じて適宜交換することができる。
【００５０】
追加記録ヘッドＣ１〜Ｃ４及び第１１記録ヘッドＨ１１〜第１４記録ヘッドＨ１４は、上述した記録ヘッドＨ１〜Ｈ８と同様に、それぞれにインクが収容されている。なお、これらのインクは、同じ色であっても、異なる色であってもよい。また、インクは、染料でも顔料でもよく、また水性、油性を問わない。
【００５１】
第１１上案内ローラＡ１１〜第１３上案内ローラＡ１３及び第１１左案内ローラＢ１１〜第１３左案内ローラＢ１３は、第１１記録ヘッドＨ１１〜第１４記録ヘッドＨ１４の間に配置され、第１１右案内ローラＧ１１〜第１３右案内ローラＧ１３は、第１１記録ヘッドＨ１１〜第１３記録ヘッドＨ１３の下に配置されている。すなわち、これらの記録ヘッドによりウエブ１の進行方向の転換が行われることになる。なお、インクジェット記録装置１０３においては、ウエブ１が隣合う記録ヘッド間を通過する走行経路を阻害しないように、基板には穴が設けられている。
【００５２】
第１１上案内ローラＡ１１〜第１３上案内ローラＡ１３、第１１左案内ローラＢ１１〜第１３左案内ローラＢ１３、第１１右案内ローラＧ１１〜第１３右案内ローラＧ１３は、互いに対応させて用いられる。すなわち、上述したように、ウエブ１を第１２右案内ローラＧ１２によって案内する場合は、第１２上案内ローラＡ１２と、第１２左案内ローラＢ１２とが用いられる。この場合、ウエブ１の一面１ａの記録に用いられる記録ヘッドは追加記録ヘッドＣ１〜Ｃ４及び第１１記録ヘッドＨ１１及び第１２記録ヘッドＨ１２の６個となり、ウエブ１の他面１ｂの記録に用いられる記録ヘッドは第１３記録ヘッドＨ１３及び第１４記録ヘッドＨ１４の２個となる。
【００５３】
ここで、ウエブ１の走行経路を切替えた場合について説明する。
図６は、本発明に係るインクジェット記録装置の第４実施形態におけるウエブの走行経路の複数の例を示す概略図である。
図６に示すように、例えば、ウエブ１を第１１右案内ローラＧ１１によって案内するようにした場合、第１１上案内ローラＡ１１と、第１１左案内ローラＢ１１とが用いられる。この場合、ウエブ１の一面１ａの記録に用いられる記録ヘッドは追加記録ヘッドＣ１〜Ｃ４及び第１１記録ヘッドＨ１１の５個となり、ウエブ１の他面１ｂの記録に用いられる記録ヘッドは第１２記録ヘッドＨ１２〜第１４記録ヘッドＨ１４の３個となる。
ウエブ１を第１３右案内ローラＧ１３によって案内するようにした場合、第１３上案内ローラＡ１３と、第１３左案内ローラＢ１３とが用いられる。この場合、ウエブ１の一面１ａの記録に用いられる記録ヘッドは追加記録ヘッドＣ１〜Ｃ４及び第１１記録ヘッドＨ１１〜第１３記録ヘッドＨ１３の７個となり、ウエブ１の他面１ｂの記録に用いられる記録ヘッドは第１４記録ヘッドＨ１４の１個となる。
【００５４】
第４実施形態に係るインクジェット記録装置１０３において、第１乾燥機１５ａ及び第２乾燥機１５ｂは、第１１記録ヘッドＨ１１〜第１４記録ヘッドＨ１４の下方に配置される。これにより、インクジェット記録装置１０３の設置スペースをコンパクトにすることができる。なお、第１乾燥機１５ａ及び第２乾燥機１５ｂは、第１実施形態に係るインクジェット記録装置１００における第１乾燥機５ａと同じ構造となっている。
【００５５】
次に、第４実施形態に係るインクジェット記録装置１０３を用いたインクジェット記録方法について説明する。
かかるインクジェット記録方法においては、追加記録ヘッドＣ１〜Ｃ４がウエブ１の一面１ａに記録し、続けて、ウエブ１が隣合う記録ヘッド間を通過する位置から上流側の記録ヘッドがウエブの一面１ａに記録した後、該ウエブ１を第１乾燥機１５ａで乾燥し、ウエブ１が記録ヘッド同士の間を通過する位置から下流側の記録ヘッドがウエブ１の他面１ｂに記録した後、該ウエブ１を第２乾燥機１５ｂで乾燥する。
【００５６】
すなわち、インクジェット記録装置１０３の搬入口１３ａから搬入されたウエブ１は、追加記録ヘッドＣ１〜Ｃ４に案内され、ウエブの一面１ａが追加記録ヘッドＣ１〜Ｃ４によって順次記録される。
続いて、ウエブ１は、一旦、第１１記録ヘッドＨ１１〜第１４記録ヘッドＨ１４の下方に案内され、第１２右案内ローラＧ１２によって、第１１記録ヘッドＨ１１及び第１２記録ヘッドＨ１２側に案内され、ウエブ１の一面１ａが更に第１１記録ヘッドＨ１１及び第１２記録ヘッドＨ１２によって順次記録される。
その後、ウエブ１は、下方に配置された第１乾燥機１５ａに案内され、ドラム１６ａの円周に略１周するように巻回され、ウエブ１の一面１ａが乾燥される。このとき、ウエブ１の記録された一面１ａの反対側をドラム１６ａに接するようにする。これによりウエブ１は効率良く乾燥され、ドラムの汚染も抑制される。
【００５７】
次に、ウエブ１は、第１１記録ヘッドＨ１１〜第１４記録ヘッドＨ１４の上方に案内され、第１２上案内ローラＡ１２によって、第１２記録ヘッドＨ１２と第１３記録ヘッドＨ１３との間を通過するように案内される。
続いて、ウエブ１は、第１２左案内ローラＢ１２によって、第１３記録ヘッドＨ１３及び第１４記録ヘッドＨ１４側に案内され、ウエブ１の他面１ｂが第１３記録ヘッドＨ１３及び第１４記録ヘッドＨ１４によって順次記録される。
その後、ウエブ１は、下方に配置された第２乾燥機１５ｂに案内され、ドラム１６ｂの円周に略１周するように巻回され、ウエブ１の他面１ｂが乾燥される。このとき、ウエブ１の記録された他面１ｂの反対側をドラム１６ｂに接するようにする。これによりウエブ１は効率良く乾燥され、ドラムの汚染も抑制される。
そして、ウエブ１は、インクジェット記録装置１０３の搬出口１３ｂから搬出される。
こうして、記録媒体１の両面が連続して記録されることになる。
【００５８】
第４実施形態に係るインクジェット記録装置１０３においては、ウエブ１の一面１ａを記録するための複数配設された追加記録ヘッドＣ１〜Ｃ４を備えることにより、更に多彩な表現が可能となる。
【００５９】
以上、本発明の実施形態について説明したが、本発明は上記実施形態に限定されるものではない。
【００６０】
例えば、第１実施形態に係るインクジェット記録装置１００、第２実施形態に係るインクジェット記録装置１０１及び第３実施形態に係るインクジェット記録装置１０２においては、８個の記録ヘッドが用いられているが、２個以上であればこれに限定されず、７個以下であっても、９個以上であってもよい。
【００６１】
同様に、第４実施形態に係るインクジェット記録装置１０３においては、４個の追加記録ヘッドが用いられているが、１個以上であればこれに限定されない。また、４個の記録ヘッドが用いられているが、２個以上であればこれに限定されず、３個以下であっても、５個以上であってもよい。
【００６２】
第１実施形態に係るインクジェット記録装置１００及び第２実施形態に係るインクジェット記録装置１０１においては、第７上案内ローラＡ７の外側（第６上案内ローラＡ６とは反対側）に、更に第８上案内ローラＡ８を備えていてもよい（図１参照）。この場合、ウエブ１を第８上案内ローラＡ８に案内させることにより、ウエブ１の一面１ａに８個の記録ヘッドＨ１〜Ｈ８で記録することが可能となる。なお、このとき、ウエブの他面１ｂには記録されない。なお、第３実施形態に係るインクジェット記録装置１０２においては、レール１１を上述した第８上案内ローラＡ８に相当する位置まで延ばすことにより、上調整案内ローラＡ１０、左調整案内ローラＢ１０及び右調整案内ローラＧ１０をその位置までスライド可能とすればよい。
さらに、第４実施形態に係るインクジェット記録装置１０３においては、第１３上案内ローラＡ１３の外側（第１２上案内ローラＡ１２とは反対側）に、更に第１４上案内ローラＡ１４を備えていてもよい（図６参照）。この場合もウエブ１を第１４上案内ローラＡ１４に案内させることにより、ウエブ１の一面１ａに４個の追加記録ヘッドＣ１〜Ｃ４及び４個の記録ヘッドＨ１１〜Ｈ１４で記録することが可能となる。なお、このとき、ウエブの他面１ｂには記録されない。
【００６３】
第１上案内ローラＡ１〜第７上案内ローラＡ７、第１左案内ローラＢ１〜第７左案内ローラＢ７、第１右案内ローラＧ１〜第７右案内ローラＧ７は、互いに対応させて用いられる。すなわち、上述したように、ウエブ１を第４上案内ローラＡ４によって案内する場合は、第４左案内ローラＢ４と、第４右案内ローラＧ４とが用いられる。この場合、ウエブ１の一面１ａの記録に用いられる記録ヘッドは第１記録ヘッドＨ１〜第４記録ヘッドＨ４の４個となり、ウエブ１の他面１ｂの記録に用いられる記録ヘッドは第５記録ヘッドＨ５〜第８記録ヘッドＨ８の４個となる。
【００６４】
第１実施形態に係るインクジェット記録装置１００において、用いない記録ヘッドを設けてもよい。例えば、ウエブ１を第４上案内ローラＡ４によって案内するようにした場合、ウエブ１の他面１ｂの記録に用いられる記録ヘッドを４個以下とすることができる。すなわち、ウエブ１を第４上案内ローラＡ４に第４記録ヘッドＨ４と第５記録ヘッドＨ５との間に案内し、第４左案内ローラＢ４により第１記録ヘッドＨ１〜第４記録ヘッドＨ４側に案内して記録した後、ウエブ１を第４右案内ローラＧ４に案内させずに、第５右案内ローラＧ５に案内させることにより、第６記録ヘッドＨ６〜第８記録ヘッドＨ８の３個の記録ヘッドで記録されることになる。このとき、第５記録ヘッドＨ５は用いられない。なお、ウエブ１をその他の上案内ローラＡ１〜Ａ７に案内させた場合も同様であり、他面１ｂの色数に応じて右案内ローラＢ１〜Ｂ７を適宜選択することも可能である。
【００６５】
第３実施形態に係るインクジェット記録装置１０２及び第４実施形態に係るインクジェット記録装置１０３においては、記録ヘッドが平面状に配設されているが、第２実施形態に係るインクジェット記録装置１０１の記録ヘッドのように、記録ヘッドの下面がアーチ状に配設されていてもよい。なお、第４実施形態に係るインクジェット記録装置１０３における追加記録ヘッドＣ１〜Ｃ４の下面についてもアーチ状に配設されていてもよい。
【００６６】
第４実施形態に係るインクジェット記録装置１０３においては、追加記録ヘッドＣ１〜Ｃ４が配設された基板と、記録ヘッドＨ１１〜Ｈ１４が配設された基板とで、２段式となっているが、３段式以上であってもよい。すなわち、追加記録ヘッドが配設された基板を更に増設してもよい。
【００６７】
第４実施形態に係るインクジェット記録装置１０３においては、ウエブ１の一面１ａに追加記録ヘッドＣ１〜Ｃ４で記録した後、一旦仮乾燥させてもよい。
図７は、本発明に係るインクジェット記録装置の他の実施形態を示す概略図である。
図７に示すように、インクジェット記録装置１０４は、追加記録ヘッドＣ１〜Ｃ４で記録した後、一旦仮乾燥させる仮乾燥機２０を備えること以外は、第４実施形態に係るインクジェット記録装置１０３と同じである。なお、仮乾燥機２０は、第１実施形態に係るインクジェット記録装置１００における第１乾燥機５ａと同じ構造となっている。
【００６８】
インクジェット記録装置１０４においては、ウエブ１の一面１ａを追加記録ヘッドＣ１〜Ｃ４が記録した後、一旦仮乾燥機２０で仮乾燥し、続いて、第１２記録ヘッドＨ１２と第１３記録ヘッドＨ１３との間を通過する位置から上流側の第１１記録ヘッドＨ１１及び第１２記録ヘッドＨ１２がウエブ１の一面１ａに記録した後、該ウエブ１を第１乾燥機１５ａで乾燥する。
そして、ウエブ１が第１２記録ヘッドＨ１２と第１３記録ヘッドＨ１３との間を通過する位置から下流側の第１３記録ヘッドＨ１３及び第１４記録ヘッドＨ１４がウエブ１の他面１ｂに記録した後、該ウエブ１を第２乾燥機１５ｂで乾燥することになる。
このように、インクジェット記録装置１０４においては、一度仮乾燥機で乾燥することにより、記録面を案内ローラに接触させる経路が可能となり、簡素な通紙経路が得られる。
【００６９】
第１〜第４実施形態に係るインクジェット記録装置においては、乾燥機としてドラム式のものを用いているが、インクに紫外線硬化剤が含まれている場合、ＵＶ乾燥機であってもよい。この場合、簡便な装置で十分に乾燥できるので、スペースをとらないという利点がある。
【産業上の利用可能性】
【００７０】
本発明のインクジェット記録装置は、ウエブの両面にインクジェット方式により記録する装置として利用できる。かかるインクジェット記録装置によれば、色数を調整することができ且つ効率良くウエブの両面に連続して記録することが可能となる。
【符号の説明】
【００７１】
１・・・ウエブ
１ａ・・・一面
１ｂ・・・他面
３ａ，１３ａ・・・搬入口
３ｂ，１３ｂ・・・搬出口
５ａ，１５ａ・・・第１乾燥機（乾燥機）
５ｂ，１５ｂ・・・第２乾燥機（乾燥機）
６ａ，６ｂ，１６ａ，１６ｂ・・・ドラム
１１・・・レール
１１ａ・・・上レール
１１ｂ・・・下レール
２０・・・仮乾燥機
１００，１０１，１０２，１０３，１０４・・・インクジェット記録装置
Ａ１・・・第１上案内ローラ（案内ローラ）
Ａ２・・・第２上案内ローラ（案内ローラ）
Ａ３・・・第３上案内ローラ（案内ローラ）
Ａ４・・・第４上案内ローラ（案内ローラ）
Ａ５・・・第５上案内ローラ（案内ローラ）
Ａ６・・・第６上案内ローラ（案内ローラ）
Ａ７・・・第７上案内ローラ（案内ローラ）
Ａ１０・・・上調整案内ローラ（案内ローラ）
Ａ１１・・・第１１上案内ローラ（案内ローラ）
Ａ１２・・・第１２上案内ローラ（案内ローラ）
Ａ１３・・・第１３上案内ローラ（案内ローラ）
Ｂ１・・・第１左案内ローラ（案内ローラ）
Ｂ２・・・第２左案内ローラ（案内ローラ）
Ｂ３・・・第３左案内ローラ（案内ローラ）
Ｂ４・・・第４左案内ローラ（案内ローラ）
Ｂ５・・・第５左案内ローラ（案内ローラ）
Ｂ６・・・第６左案内ローラ（案内ローラ）
Ｂ７・・・第７左案内ローラ（案内ローラ）
Ｂ１０・・・左調整案内ローラ（案内ローラ）
Ｂ１１・・・第１１左案内ローラ（案内ローラ）
Ｂ１２・・・第１２左案内ローラ（案内ローラ）
Ｂ１３・・・第１３左案内ローラ（案内ローラ）
Ｃ１，Ｃ２，Ｃ３，Ｃ４・・・追加記録ヘッド
Ｇ１・・・第１右案内ローラ（案内ローラ）
Ｇ２・・・第２右案内ローラ（案内ローラ）
Ｇ３・・・第３右案内ローラ（案内ローラ）
Ｇ４・・・第４右案内ローラ（案内ローラ）
Ｇ５・・・第５右案内ローラ（案内ローラ）
Ｇ６・・・第６右案内ローラ（案内ローラ）
Ｇ７・・・第７右案内ローラ（案内ローラ）
Ｇ１０・・・右調整案内ローラ（案内ローラ）
Ｇ１１・・・第１１右案内ローラ（案内ローラ）
Ｇ１２・・・第１２右案内ローラ（案内ローラ）
Ｇ１３・・・第１３右案内ローラ（案内ローラ）
Ｈ１・・・第１記録ヘッド（記録ヘッド）
Ｈ２・・・第２記録ヘッド（記録ヘッド）
Ｈ３・・・第３記録ヘッド（記録ヘッド）
Ｈ４・・・第４記録ヘッド（記録ヘッド）
Ｈ５・・・第５記録ヘッド（記録ヘッド）
Ｈ６・・・第６記録ヘッド（記録ヘッド）
Ｈ７・・・第７記録ヘッド（記録ヘッド）
Ｈ８・・・第８記録ヘッド（記録ヘッド）
Ｈ１１・・・第１１記録ヘッド（記録ヘッド）
Ｈ１２・・・第１２記録ヘッド（記録ヘッド）
Ｈ１３・・・第１３記録ヘッド（記録ヘッド）
Ｈ１４・・・第１４記録ヘッド（記録ヘッド）
【図１】
0005480114.tif 000002
【図２】
0005480114.tif 000003
【図３】
0005480114.tif 000004
【図４】
0005480114.tif 000005
【図５】
0005480114.tif 000006
【図６】
0005480114.tif 000007
【図７】
0005480114.tif 000008